(57)【要約】【課題】子供が自発的に楽しみながら操作を行うことで、嫌がらずに歯ブラシを口に入れたり、歯磨きを楽しいものとしたりする歯ブラシの提供。【解決手段】光源２０を内蔵した歯ブラシＨであって、光源２０及び電源１５を収容する本体部１と、本体部１の先端部３に設けられたブラシ部５と、光源２０の発光モードを制御するＭＰＵ１１と、ＭＰＵ１１を制御するための操作ボタン４と、を備え、光源２０は、少なくとも３色以上の色を切り替えて発光する多色点灯モードＭ１及び少なくとも３色以上の光から選択される特定色で固定して発光する単色点灯モードＭ２で発光可能であり、多色点灯モードＭ１において操作ボタン４が操作されると、ＭＰＵ１１が光源２０の制御を単色点灯モードＭ２に移行させるように制御することで、操作ボタン４が操作されたときに点灯していた時の色で光源２０が発光する。【選択図】図３
2020185141.tif 000002
【特許請求の範囲】
【請求項１】
光源を内蔵した歯ブラシであって、
前記光源及び電源を収容する本体部と、
該本体部の先端部に設けられたブラシ部と、
前記光源の発光モードを制御する制御部と、
前記制御部を制御するための操作部と、を備え、
前記光源は、少なくとも３色以上の色を切り替えて発光する多色点灯モード及び前記少なくとも３色以上の光から選択される特定色で固定して発光する単色点灯モードで発光可能であり、
前記多色点灯モードにおいて前記操作部が操作されると、前記制御部が前記光源の制御を前記単色点灯モードに移行させるように制御することで、前記操作部が操作されたときに点灯していた時の色で前記光源が発光することを特徴とする歯ブラシ。
【請求項２】
前記光源は、白色光で固定して発光する白色点灯モードで発光可能であり、
前記単色点灯モードにおいて前記操作部が操作されると、前記制御部が前記光源の制御を前記白色点灯モードに移行させるように制御することを特徴とする請求項１に記載の歯ブラシ。
【請求項３】
前記本体部は、筐体の内部に振動源を備え、
前記制御部は、前記単色点灯モード及び前記白色点灯モードにおいて前記電源から前記振動源に給電することを特徴とする請求項２に記載の歯ブラシ。
【請求項４】
前記多色点灯モードにおいて、前記光源の色が第１の色から第２の色に切り替わる際に、前記第１の色又は前記第２の色のいずれか一方で発光する時間ｔ１が、前記第１の色から前記第２の色に切り替わる時間ｔ２よりも長くなるように、前記制御部が前記光源を制御することを特徴とする請求項１乃至３のいずれか一項に記載の歯ブラシ。
【請求項５】
前記操作部が、単一の操作ボタンを備えており、
該操作ボタンを操作することで、前記制御部は、前記電源から前記光源への給電、及び、
前記多色点灯モードから前記単色点灯モードへの移行を行うことを特徴とする請求項１乃至４のいずれか一項に記載の歯ブラシ。
【請求項６】
前記光源が、赤色ＬＥＤ、緑色ＬＥＤ及び青色ＬＥＤを備えていることを特徴とする請求項１乃至５のいずれか一項に記載の歯ブラシ。
【発明の詳細な説明】
【技術分野】
【０００１】
本発明は、歯ブラシに係り、特に、発光手段を有する歯ブラシに関する。
【背景技術】
【０００２】
乳歯は永久歯よりも柔らかく虫歯になると進行が速いため、虫歯を作らないことが重要である。しかし、乳幼児は歯磨きを好まない傾向が強く、子供の歯磨きは親にとって頭を悩ませる課題となっている。子供にとって歯磨きを楽しいものとするために玩具を用いたり、歌を歌ったりするなどの試みがなされている。
【０００３】
近年、子供用に限らず、振動モータや超音波振動子等を内蔵して、ブラシを振動させるようにした電動歯ブラシや、光源を内蔵して口腔内に光を照射するようにした光歯ブラシが使用されている。
【０００４】
特許文献１には、電源スイッチのオンにより、電源から振動モータ及び光源に給電し、振動モータによって筐体を振動させ、光源が発光して歯ブラシヘッドの透明な柄部内に光を入射させ、その光が透明な柄部によってブラシ部に導かれ、透明な樹脂毛を通して、口腔内に照射されるように構成された口腔清掃用具が記載されている。また、光源として赤色光と青色光とを発光する２色光源である２色発光ダイオードを使用し、筐体の外部から操作可能な位置に、２色光源である２色発光ダイオードの発光色を切り換えるための色切換用スイッチを設けることも記載されている。
【０００５】
特許文献２には、歯磨き中における視覚による楽しさを与えることができる電動歯ブラシに関して、透明または半透明に構成されているケースの内側に、点滅する発光体が設けてあることが記載されている。また、発光色を赤、緑、青など適宜選択可能であること、発光体の点滅方式について、動作タイマーとしての機能をもたせたり、歯磨き中において歯ブラシ体の押し付け圧が適正な場合には青色を点滅させ、強すぎる場合には赤色を点滅させるなどセンサの機能をもたせたりすることも可能であることが記載されている。
【先行技術文献】
【特許文献】
【０００６】
【特許文献１】特開２０１２−１６１３６８号公報
【特許文献２】特開平８−１９４２７号公報
【発明の概要】
【発明が解決しようとする課題】
【０００７】
特許文献１には、光照射の目的によって、青、緑、黄色などの他の色の光を発光するＬＥＤや白色ＬＥＤなどを使用しても良いことや、光源の発光を各種のパターンで点滅させたり、周期的に発光色を切り換えたりして、ファッション性を高めたり、子供に口腔清掃への興味を持たせるようにすることもできることが記載されているが、具体的にどのようにして子供を楽しませるのかは開示されていない。
【０００８】
特許文献２には、幼児はもとより大人も歯磨きをしながら、内部機構の動きを観察できるため、歯磨きに楽しさが加わり、面倒な筈の歯磨きを嫌わずに励行することによって歯磨きの習慣を身に着けさせることができることが記載されているが、幼児が楽しみながら能動的に光の色を選択することは開示されていない。
【０００９】
つまり、上述した従来の光歯ブラシにおいては、光が各種パターンで点滅したり、発光色を適宜選択したりするものの、子供が自発的に楽しみながら操作を行うことは想定されていなかった。したがって、子供が積極的に歯磨きをすることを習慣付けるまでには至らなかった。
【００１０】
本発明は、上記の課題に鑑みてなされたものであり、その目的は、子供が自発的に楽しみながら操作を行うことで、嫌がらずに歯ブラシを口に入れたり、歯磨きを楽しいものとしたりする歯ブラシを提供することにある。
【課題を解決するための手段】
【００１１】
前記課題は、本発明の歯ブラシによれば、光源を内蔵した歯ブラシであって、前記光源及び電源を収容する本体部と、該本体部の先端部に設けられたブラシ部と、前記光源の発光モードを制御する制御部と、前記制御部を制御するための操作部と、を備え、前記光源は、少なくとも３色以上の色を切り替えて発光する多色点灯モード及び前記少なくとも３色以上の光から選択される特定色で固定して発光する単色点灯モードで発光可能であり、前記多色点灯モードにおいて前記操作部が操作されると、前記制御部が前記光源の制御を前記単色点灯モードに移行させるように制御することで、前記操作部が操作されたときに点灯していた時の色で前記光源が発光することにより解決される。
【００１２】
上記のように構成された本発明の歯ブラシでは、発光色が切り替わる多色点灯モードにおいて、好きな色で点灯中に子供が操作部を操作することで、子供の好みの発光色で発光する単色点灯モードに移行する。つまり、自発的な操作によって子供が好きな色を発光させることで、月齢や年齢にかかわらず嫌がらずに歯ブラシを口に入れたり歯磨きをしたりすることが可能となるため、歯磨きをしたくなる気持ちを高揚させる効果が奏される。つまり子供の発育状況に応じて、子供に歯ブラシに興味を持たせ、嫌がらずに歯ブラシを口に入れることを習慣づけたり、子供が積極的に歯磨きをすることを習慣付けたりすることが可能となる。
【００１３】
また、上記の構成において、前記光源は、白色光で固定して発光する白色点灯モードで発光可能であり、前記単色点灯モードにおいて前記操作部が操作されると、前記制御部が前記光源の制御を前記白色点灯モードに移行させるように制御するとよい。
上記の構成では、子供が選択した好みの発光色で発光する単色点灯モードで子供が歯磨きをした後、親が仕上げの磨きし、磨き残しの確認に容易な白色光にすることが簡単な操作によって可能となる。
【００１４】
また、上記の構成において、前記本体部は、筐体の内部に振動源を備え、前記制御部は、前記単色点灯モード及び前記白色点灯モードにおいて前記電源から前記振動源に給電するとよい。
上記の構成では、子供が選択した好みの発光色で発光する単色点灯モードで子供が歯磨きをするときや、白色点灯モードで親が子供の口腔内を白色光で照らして仕上げの磨きをするときに、振動を本体部からブラシ部へと伝えて、歯面や歯間の汚れや食物のカス、歯垢などを、容易に効率よく除去することが可能となる。
【００１５】
また、上記の構成において、前記多色点灯モードにおいて、前記光源の色が第１の色から第２の色に切り替わる際に、前記第１の色又は前記第２の色のいずれか一方で発光する時間ｔ１が、前記第１の色から前記第２の色に切り替わる時間ｔ２よりも長くなるように、前記制御部が前記光源を制御するとよい。
上記の構成では、多色点灯モードにおいて、特定の色で発光している時間ｔ１を、色の切り替わりの時間ｔ２よりも長くすることで、操作のぎこちない乳幼児であっても、落ち着いて好みの色を選択することが可能となる。
【００１６】
また、上記の構成において、前記操作部が、単一の操作ボタンを備えており、該操作ボタンを操作することで、前記制御部は、前記電源から前記光源への給電、及び、前記多色点灯モードから前記単色点灯モードへの移行を行うとよい。
上記の構成では、電源のオンや発光モード切替を１つのボタンで行うことができるため、装置の構成を簡略化するとともに、ボタンの種類や機能を覚える必要がないので乳幼児であっても簡単に操作を行うことが可能となる。
【００１７】
また、上記の構成において、前記光源が、赤色ＬＥＤ、緑色ＬＥＤ及び青色ＬＥＤを備えているとよい。
上記の構成では、光源が三原色のＬＥＤを備えているため、３色以上の発光色、例えば、赤色、橙色、黄色、緑色、青色、紺色、ピンク色など７色のレインボー色を再現することが可能となる。
【発明の効果】
【００１８】
本発明の歯ブラシによれば、発光色が切り替わる多色点灯モードにおいて、好きな色で点灯中に子供が操作部を操作することで、子供の好みの発光色で発光する単色点灯モードに移行する。つまり自発的な操作によって子供が、歯ブラシを好きな色で発光させることが可能となるため、歯ブラシを口に入れたくなったり歯磨きをしたくなったりする気持ちを高揚させる効果が奏される。したがって、子供が積極的に歯磨きをすることを習慣付けることが可能となる。
また、本発明の歯ブラシによれば、子供が選択した好みの発光色で発光する単色点灯モードで子供が歯ブラシに興味を持ったり、あるいは自ら歯磨きをしたりした後に、親が仕上げの磨きし、磨き残しの確認に容易な白色光にすることが簡単な操作によって可能となる。
また、本発明の歯ブラシによれば、子供が選択した好みの発光色で発光する単色点灯モードで子供が歯磨きをするときや、白色点灯モードで親が子供の口腔内を白色光で照らして仕上げの磨きをするときに、振動を本体部からブラシ部へと伝えて、歯面や歯間の汚れや食物のカス、歯垢などを、容易に効率よく除去することが可能となる。
また、本発明の歯ブラシによれば、多色点灯モードにおいて、特定の色で発光している時間ｔ１を、色の切り替わりの時間ｔ２よりも長くすることで、操作のぎこちない乳幼児であっても、落ち着いて好みの色を選択することが可能となる。
また、本発明の歯ブラシによれば、電源のオンや発光モード切替を１つのボタンで行うことができるため、装置の構成を簡略化するとともに、ボタンの種類や機能を覚える必要がないので乳幼児であっても簡単に操作を行うことが可能となる。
また、本発明の歯ブラシによれば、光源が三原色のＬＥＤを備えているため、３色以上の発光色、例えば、赤色、橙色、黄色、緑色、青色、紺色、ピンク色など７色のレインボー色を再現することが可能となる。
【図面の簡単な説明】
【００１９】
【図１Ａ】本発明の一実施形態に係る歯ブラシの外観図である。
【図１Ｂ】本発明の一実施形態に係る歯ブラシの外観図である。
【図１Ｃ】本発明の一実施形態に係る歯ブラシの正面図である。
【図１Ｄ】本発明の一実施形態に係る歯ブラシの背面図である。
【図１Ｅ】本発明の一実施形態に係る歯ブラシの左側面図である。
【図１Ｆ】本発明の一実施形態に係る歯ブラシの右側面図である。
【図１Ｇ】本発明の一実施形態に係る歯ブラシの平面図である。
【図１Ｈ】本発明の一実施形態に係る歯ブラシの底面図である。
【図１Ｉ】本発明の一実施形態に係る歯ブラシが備えるプリズムカットの拡大図である。
【図２】本発明の一実施形態に係る歯ブラシの駆動制御回路の回路図である。
【図３】本発明の一実施形態に係る歯ブラシの発光パターンを示す説明図である。
【図４】本発明の一実施形態に係る歯ブラシの制御部が行う制御のフロー図である。
【発明を実施するための形態】
【００２０】
以下、図１乃至図４を参照しながら、本発明の実施の形態（以下、本実施形態）に係る歯ブラシについて説明する。本実施形態に係る歯ブラシとして、子供用の歯ブラシを例に挙げて説明することとするが子供用に限定されるものではない。
【００２１】
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００２２】
＜歯ブラシＨ＞
本実施形態に係る歯ブラシＨは、図１Ａ、図１Ｂ及び図２に示されるように、光源２０を内蔵した歯ブラシＨであって、光源２０及び電池１４を収容する本体部１と、本体部１の筐体２の先端部３に設けられたブラシ部５と、光源２０の発光モードを制御する制御部としてのＭＰＵ１１と、ＭＰＵ１１を制御するための操作ボタン４と、を備えている。
【００２３】
本実施形態に係る歯ブラシＨの六面図を図１Ｃ乃至図１Ｉに示す。図１Ｃは、歯ブラシＨの正面図であり、図１Ｄは、歯ブラシの背面図であり、図１Ｅは、歯ブラシの左側面図であり、図１Ｆは、歯ブラシの右側面図であり、図１Ｇは、歯ブラシの平面図であり、図１Ｈは、歯ブラシの底面図である。
【００２４】
（本体部１）
本体部１は、図１Ａ及び図１Ｂに示されるように、歯ブラシＨの使用時に把持部となる筐体２と、筐体２の先端に先端部３を備え、先端部３には、後述するブラシ部５を着脱可能に接続するための嵌合凸部３ａが形成されている。先端部３の外周面にはプリズムカット３ｂが形成されており、光を外へ漏らさずに内部へ反射させるようになっている。
【００２５】
図１Ｉは、プリズムカット３ｂの拡大図であり、プリズムカット３ｂの形状の様子を示している。プリズムカット３ｂは、先端部３の外周面を３角形状の面をつなぎ合わせて構成されており、上方のブラシ基端部６の円形部分に連続する位置に配置されている。これにより光源２０から発光される光は、プリズムカット３ｂで任意の角度に反射するため、プリズムカット３ｂを見る角度によって、種々の反射の状態を楽しむことができる。
【００２６】
操作ボタン４は、歯ブラシＨが備える単一の操作部であり、筐体２の外部から操作可能な位置に設けられている、以下に詳述するように、操作ボタン４は、電源ボタン、モード切替ボタンの役割を果たしている。
【００２７】
図１Ｂに示されるように、操作ボタン４の上部には発光を示す発光マーク４ａが設けられ、操作ボタン４の下部には、振動を示す振動マーク４ｂが設けられている。つまり、操作ボタン４を操作することで、発光態様を制御したり、振動をオンにしたりすることができることが使用者にわかるようになっている。
【００２８】
なお、筐体２は硬質のプラスチック製であるのに対し、操作ボタン４及びその周囲の領域は弾性を有するゴム材料で形成されており、使用者のグリップ感が良くなるようになっている。また筐体２の形状は任意の形状とすることができるが、使用者のグリップ感がよくなるように、例えば、断面が三角形の形状をなしてもいてもよい。このように、筐体２の形状を、断面が三角形の形状とすることで、月齢の低い子供や、いろいろな年齢の子供が歯ブラシＨを握る場合、および親が歯ブラシＨを握る場合のいずれの場合においても、歯ブラシＨを容易に握ることができる。
【００２９】
図１Ａ及び図１Ｂに示されるように、筐体２の下端には電池を交換するためのカバーキャップＣが設けられている。カバーキャップＣは、筐体２の下端に着脱可能に取り付けられている。カバーキャップＣは、第１マーカｍ１と第２マーカｍ２がずれるようにカバーキャップＣを本体部１に対して回転させると筐体２から取り外すことができ、電池ホルダ（不図示）を露出させることができる。電池を電池ホルダに装填した後に、第１マーカｍ１と第２マーカｍ２が一致するまでカバーキャップＣを回転させすることで、カバーキャップＣを筐体２に取り付けることができる。
【００３０】
（ブラシ部５）
口腔清掃用ブラシヘッドであるブラシ部５は、図１Ａ及び図１Ｂに示されるように、ブラシ基端部６が筐体２の先端部３に形成された嵌合凸部３ａに嵌合可能な嵌合凹部６ａとなっている。ブラシ部５の先端７には、多数の樹脂毛７ａが植え込まれている。ブラシ部５は、その全部又は大部分が良好な光透過性を有する透明樹脂材料で作られている。
【００３１】
透明樹脂材料としては、アクリル樹脂、エポキシ樹脂、飽和ポリエステル樹脂、メタクリル樹脂、フルオレン系透明樹脂、スチレン系透明樹脂、透明ＡＢＳ樹脂、ポリプロピレン樹脂などを用いることが可能であり、具体的には、高強度なポリエチレンテレフタレート（ＰＥＴＧ）や熱可塑性エラストマー（ＴＰＥ）を用いることが好ましい。なお、樹脂毛７ａにはナイロンやポリエステルなど、種々の透明樹脂材料を使用することができる。
【００３２】
ブラシ基端部６の外周面にはプリズムカット６ｂが形成されており、光を外へ漏らさずに内部へ反射させるようになっている。また、ブラシ基端部６には、使用者の識別リングとして、カラーリング８が設けられている。カラーリング８には、異なるブラシ部５に応じて、異なる色のものが用意されており、きょうだい間（使用者間）で使い分けできるようになっている。
【００３３】
図１Ｉは、プリズムカット６ｂの拡大図であり、プリズムカット６ｂの形状の様子を示している。プリズムカット６ｂは、３角形状の面をつなぎ合わせて構成されており、ブラシ基端部６の上部の円形部分に連続する位置に配置されている。これにより光源２０から発光される光は、プリズムカット６ｂで任意の角度に反射するため、プリズムカット６ｂを見る角度によって、種々の反射の状態を楽しむことができる。
【００３４】
歯ブラシＨは、子供用であり、電池１４を除いた重量は約３５ｇ、そのサイズは、高さ（Ｈ）が約１７０ｍｍ（１６８ｍｍ）、幅（Ｗ）が約２５ｍｍ（２６ｍｍ）、奥行き（Ｄ）が約２５ｍｍ（２６ｍｍ）と子供の手にフィットするものとなっている。
【００３５】
＜駆動制御回路１０＞
歯ブラシＨは、筐体２の内部に、駆動制御回路１０を備えている。図２に示されるように、駆動制御回路１０は、（主）制御部としてのＭＰＵ１１と、振動モータ１２、モータ制御部１３、電池１４、ブースト回路１５、光源２０を有している。
【００３６】
（ＭＰＵ１１）
ＭＰＵ１１は、一般的なマイクロプロセッサ（Ｍｉｃｒｏ  Ｐｒｏｃｅｓｓｉｎｇ  Ｕｎｉｔ）であり、歯ブラシＨの各構成要素を制御する主制御部（制御装置）としての役割を果たす。
【００３７】
（振動モータ１２）
後述する単色点灯モードＭ２及び白色点灯モードＭ３において、ＭＰＵ１１は、モータ制御部１３を制御して、電池１４から振動モータ１２に給電を行い、振動モータ１２の作動によって筐体２を振動させる。筐体２の振動が、嵌合凸部３ａに嵌合支持されるブラシ部５に伝達され、樹脂毛７ａが設けられた先端７を、例えば、毎分１６，０００回振動させる。
【００３８】
（電池１４）
電源である電池１４としては、例えば直流１．５Ｖの単四アルカリ乾電池を使用することが想定されるが、ボタン型乾電池や、充電可能な二次電池を使用するようにしても良い。電池１４は、筐体２の下端の電池ホルダ（不図示）に収納されており、電池１４を交換できるように、着脱可能なカバーキャップＣが筐体２の下端に設けられている。
【００３９】
（ブースト回路１５）
ブースト回路１５は、光源２０に適した電圧、具体的には、発光ダイオード（ＬＥＤ）の発光時定格電圧（例えば３．３Ｖ）に昇圧した電圧を、光源２０に印加して光源２０を発光させる。光源２０からの光が嵌合凸部３ａに嵌合支持されるブラシ部５内に入射される。
【００４０】
（光源２０）
光源２０は、図２に示されるように、本体部１の筐体２に内蔵されたカラーＬＥＤライトであり、赤色ＬＥＤ２１Ｒ、緑色ＬＥＤ２１Ｇ及び青色ＬＥＤ２１Ｂの３つのＬＥＤのみを備えている。本実施形態に係る歯ブラシＨは、三原色（赤、緑、青）の３種類のＬＥＤを搭載しており、各ＬＥＤの発光強度を変えることで、見た目上、３色以上の発光色、例えば、赤色、橙色、黄色、緑色、青色、紺色、ピンク色など７色のレインボー色が発光しているように制御している（換言すると、光源２０が備えるＬＥＤの数（ＬＥＤの色の種類）以上の発光色を再現することが可能となっている）。
【００４１】
歯ブラシＨは、生活防水に対応しており、ＩＥＣ（国際電気標準会議）が定める保護規格でＩＰＸ７相当の防水・防塵性能を有し、一時的（３０分）に一定水深（１ｍ）の条件に水没しても内部に浸水せず、洗面所でも安心して用いることが可能となっている。
【００４２】
＜発光モードについて＞
本実施形態に係る歯ブラシＨは、電源がオフの状態から操作ボタン４を押圧操作するたびに、多色点灯モードＭ１、単色点灯モードＭ２、白色点灯モードＭ３の順番で発光モードが切り替わるようにＭＰＵ１１が光源２０を発光制御する。以下、各発光モードについて図３及び図４を参照して説明を行う。
【００４３】
（多色点灯モードＭ１）
多色点灯モードＭ１において、ＭＰＵ１１は、例えば、図３に示されるように、少なくとも３色以上の色の光を切り替えて光源２０を発光制御する（図４のステップＳ１）。電源がオフの状態にて、歯ブラシＨの電源ボタンでもある操作ボタン４を１回押すと、電池１４から光源２０に給電され、光源２０が７色のレインボー色、具体的には、赤色、橙色（オレンジ色）、黄色、緑色、青色、紺色、ピンク色、赤色、…の順で発光色を変えながら巡回点灯する（図３）。つまり、多色点灯モードＭ１において、光源２０は、少なくとも３色以上の色（例えば、７色）を切り替えて発光する。
【００４４】
このとき、光源２０の発光色が、ある色（第１の色）から他の色（第２の色）に切り替わる際に、ある色（第１の色）又は他の色（第２の色）のいずれか一方で発光する時間ｔ１が、ある色（第１の色）から他の色（第２の色）に切り替わる時間ｔ２よりも長くなるようにＭＰＵ１１が光源２０を制御する（図３）。なお、ある色から他の色に切り替わる際において、切り替わる前の色を第１の色と定義し、切り替わった後の色を第２の色と定義する。
【００４５】
具体的な例としては、赤色から橙色への移行において、まず、赤色（第１の色）で１秒（ｔ１）固定して点灯する。次に、赤色（第１の色）と橙色（第２の色）の切り替わりでは、赤色及び橙色が混合した色（第１の色及び第２の色の混合色）で０．５秒（ｔ２）点灯する（変更点灯）。そして、橙色（第２の色）で１秒（ｔ１）固定して点灯する。
【００４６】
このような構成では、多色点灯モードＭ１において、特定の色（ある色（第１の色）又は他の色（第２の色））で発光している時間ｔ１を、色の切り替わりの時間ｔ２よりも長くなるため、操作のぎこちない乳幼児であっても、落ち着いて好みの色を選択することが可能となる。
【００４７】
多色点灯モードＭ１における色の数は、７色に限られるものではなく、少なくとも３色以上、例えば、３色〜６色、８色以上であってもよい。また、色の種類も、赤色、橙色（オレンジ色）、黄色、緑色、青色、紺色、ピンク色に限定されるものではなく、他の色を採用することも可能である。
【００４８】
（単色点灯モードＭ２）
単色点灯モードＭ２において、ＭＰＵ１１は、少なくとも３色以上の光から選択される特定色で固定して光源２０が継続して発光するように制御する（図４のステップＳ２）。つまり、単色点灯モードＭ２において、少なくとも３色以上（例えば、７色）の光から選択される特定色で固定して発光する。
【００４９】
具体的には、多色点灯モードＭ１において、操作ボタン４を押すことで、ＭＰＵ１１による光源２０の制御が多色点灯モードＭ１から単色点灯モードＭ２に移行する。換言すると、多色点灯モードＭ１において操作ボタン４が操作されると、ＭＰＵ１１が光源２０の制御を単色点灯モードＭ２に移行させるように制御することで、操作ボタン４が操作されたときに点灯していた時の色（特定色）で光源２０が発光する。
【００５０】
具体的には、多色点灯モードＭ１における特定色で光源２０が発光しているタイミングで、歯ブラシＨを使用する子供が操作ボタン４をもう一度押すことにより、光源２０の巡回点灯を停止させて、好きな任意の色（特定色）で固定して光源２０を継続発光させることができる。
【００５１】
このような構成では、発光色が巡回して切り替わる多色点灯モードＭ１において、好きな色で点灯中に子供が操作ボタン４を操作することで、子供の好みの発光色で発光する単色点灯モードＭ２に移行する。つまり、自発的な操作によって子供が好きな色を発光させて歯磨きすることが可能となるため、嫌がらずに歯ブラシを口に入れたり歯磨きをしたりしたくなる気持ちを高揚させる効果が奏される。
【００５２】
なお、第１の色と第２の色の切り替わりでは、第１の色及び第２の色の混合色で０．５秒（ｔ２）点灯する（変更点灯）が、この間に操作ボタン４が操作された場合、第１の色又は第２の色のいずれか一方で固定して光源２０を継続発光することにする。この場合、子供が好みの色に気づいてから操作ボタン４を押圧操作するまでのタイムラグを考慮すると、第１の色及び第２の色の混合色で０．５秒（ｔ２）点灯する（変更点灯）間に操作ボタン４が操作された場合、第１の色（先に表示されている色）で固定して光源２０を継続発光すると好適である。
【００５３】
（白色点灯モードＭ３）
白色点灯モードＭ３において、ＭＰＵ１１は、白色光で固定して光源２０を発光制御する（図４のステップＳ３）。つまり、白色点灯モードＭ３において、光源２０は、白色光で固定して発光可能である。
【００５４】
具体的には、単色点灯モードＭ２において、操作ボタン４を操作することで、ＭＰＵ１１による光源２０の制御が単色点灯モードＭ２から白色点灯モードＭ３に移行する。換言すると、単色点灯モードＭ２において操作ボタン４が操作されると、ＭＰＵ１１が光源２０の制御を白色点灯モードＭ３に移行させるように制御する。
【００５５】
このような構成によれば、子供が選択した好みの発光色で発光する単色点灯モードＭ２で子供が歯磨きをした後、親が仕上げの磨きし、磨き残しの確認に容易な白色光で光源２０が点灯する白色点灯モードＭ３に変更することが操作ボタン４を押すという簡単な操作によって可能となる。
【００５６】
（振動モータ１２の駆動）
本体部１は、筐体２の内部に振動源としての振動モータ１２を備えているが、ＭＰＵ１１は、単色点灯モードＭ２及び白色点灯モードＭ３において電池１４から振動モータ１２に給電するように、モータ制御部１３を制御する。つまり、単色点灯モードＭ２及び白色点灯モードＭ３では、バイブレーションが作動する。
【００５７】
このような構成によれば、子供が選択した好みの発光色で発光する単色点灯モードＭ２で子供が歯磨きをするときや、白色点灯モードＭ３で親が子供の口腔内を白色光で照らして仕上げの磨きをするときに、振動を本体部１からブラシ部５へと伝えて、歯面や歯間の汚れや食物のカス、歯垢などを、容易に効率よく除去することが可能となる。また、多色点灯モードＭ１では、振動モータ１２が作動しないため、不要な電力の消費が避けられるとともに、子供が落ち着いて好みの色を選択することが可能となる。
【００５８】
（電源のオフ）
白色点灯モードＭ３において、操作ボタン４を操作することで、電池１４から光源２０や振動モータ１２への給電が停止することで、歯ブラシＨの電源がオフとなる。また、いずれのモードにおいても、操作ボタン４を最後に操作してから２分間で自動的に電源が切れるように構成されており、環境にやさしい安心な設計となっている。
【００５９】
以上のように、本実施形態に係る歯ブラシＨは、操作部として単一の操作ボタン４のみを備えており、操作ボタン４を操作することで、ＭＰＵ１１が、電池１４から光源２０への給電、及び、多色点灯モードＭ１から単色点灯モードＭ２への移行、単色点灯モードＭ２から白色点灯モードＭ３への移行を行う。
【００６０】
このような構成によれば、電源のオンや発光モードの切替を１つの操作ボタン４で行うことができるため、装置の構成を簡略化するとともに、ボタンの種類や機能を覚える必要がないので乳幼児であっても簡単に操作を行うことが可能となる。
【００６１】
なお、上記の実施形態では、多色点灯モードＭ１で操作ボタン４をもう一度押すことにより、光源２０の巡回点灯を停止させて、操作ボタン４が操作されたときに点灯していた時の色（特定色）、つまり好きな任意の色（特定色）で固定して光源２０を継続発光させたが、多色点灯モードＭ１で操作ボタン４をもう一度押した場合に、任意の色（ランダム色）で固定して光源２０を継続発光させるＭＰＵ１１が制御を行うようにしてもよい。
【００６２】
多色点灯モードＭ１において操作ボタン４を操作したときに固定する光源２０の発光色にランダム性を持たせることで、子供の興味を引き出すことができる。
【００６３】
また、多色点灯モードＭ１において、特定の色（ある色（第１の色）又は他の色（第２の色））で発光している時間ｔ１の値と、色の切り替わりの時間ｔ２の値を、任意に調整可能なものとしてもよい。例えば、乳幼児の月齢や年齢に応じてｔ１、ｔ２の値を調整することで、乳幼児の発育の段階に応じた最適な点灯時間に調整可能であってもよい。
【００６４】
（まとめ）
歯が生えて、歯を磨く必要が生じると、母親が子供の歯を磨くのが一般的であるが、子供が歯磨きを嫌がらない環境づくりが重要である。本実施形態に係る歯ブラシＨは、７色のレインボー色を巡回点灯させつつ、子供が自発的に好きな任意の色に固定することが可能である（多色点灯モードＭ１から単色点灯モードＭ２への移行）。このときに、好みの色で光源２０が発光している所定のタイミングで、操作ボタン４を押して止めるというゲーム性が生まれる。つまり、好きな色を楽しみながら自発的に選択して発光させて歯磨きすることで、月齢や年齢にかかわらず嫌がらずに歯ブラシを口に入れたり歯磨きをしたくなる気持ちを高揚させる効果を奏するものである。したがって、子供が積極的に歯磨きをすることを習慣付けることが可能となる。
【００６５】
また、子供自身が歯磨きをした後に、続けて親が仕上げの磨きをするために、子供が選択した色から、仕上げの磨きし、磨き残しの確認に容易な白色光に、簡易な操作により遷移する（例えば、子供が選んだ色が発光している状態から、さらに電源ボタンでもある操作ボタン４をもう一度押す）ことが可能である。つまり、子供が嫌がらずに歯ブラシを口に入れたり歯磨きをしたくなる気持ちを高揚させるだけでなく、仕上げの磨きおよびその磨き残しの確認を容易に行うことが可能となる。
【符号の説明】
【００６６】
Ｈ  歯ブラシ
１  本体部
２  筐体
３  先端部
３ａ  嵌合凸部
３ｂ  プリズムカット
４  操作ボタン（操作部）
４ａ  発光マーク
４ｂ  振動マーク
５  ブラシ部
６  ブラシ基端部
６ａ  嵌合凹部
６ｂ  プリズムカット
７  先端
７ａ  樹脂毛
８  カラーリング
Ｃ  カバーキャップ
ｍ１  第１マーカ
ｍ２  第２マーカ
１０  駆動制御回路
１１  ＭＰＵ（制御部）
１２  振動モータ（振動源）
１３  モータ制御部
１４  電池（電源）
１５  ブースト回路
２０  光源
２１Ｒ  赤色ＬＥＤ
２１Ｇ  緑色ＬＥＤ
２１Ｂ  青色ＬＥＤ
【図１Ａ】
2020185141.tif 000003
【図１Ｂ】
2020185141.tif 000004
【図１Ｃ】
2020185141.tif 000005
【図１Ｄ】
2020185141.tif 000006
【図１Ｅ】
2020185141.tif 000007
【図１Ｆ】
2020185141.tif 000008
【図１Ｇ】
2020185141.tif 000009
【図１Ｈ】
2020185141.tif 000010
【図１Ｉ】
2020185141.tif 000011
【図２】
2020185141.tif 000012
【図３】
2020185141.tif 000013
【図４】
2020185141.tif 000014